(57)【特許請求の範囲】
【請求項１】
ブラインドの昇降コードの挟持及び解放を切換えることによって、ブラインドの任意の高さにおける停止及び昇降を行わせるブラインドのストッパー装置において、
昇降コード（１６）が挿通するケース（２２）と、
ケース（２２）内を昇降コード（１６）の移動方向に移動可能となったスライダー（２４）と、
ケース（２２）に設けられた受部（２６）と、
スライダー（２４）と共にケース（２２）内を移動し、前記受部（２６）との間で昇降コードを挟持可能な挟持部（２８）と、
ケース（２２）とスライダー（２４）との間に設けられ、挟持部（２８）が受部（２６）とで昇降コードを挟持した状態から、挟持部（２８）が受部（２６）から離反するスライダー（２４）の第１方向の所定量の移動を許容した後スライダー（２４）の移動を規制し、その後のスライダー（２４）の第１方向と反対方向の第２所定量の移動を許容した後スライダー（２４）の移動を規制し、その後のスライダー（２４）の第１方向の第３所定量の移動を許容した後スライダー（２４）の移動を規制し、その後のスライダー（２４）の第１方向と反対方向の、挟持部（２８）が受部（２６）とで昇降コードを挟持するまでの第４所定量の移動を許容する規制機構（３０）と、
昇降コード（１６）に挟み付け力を付与して、昇降コード（１６）の移動量に対してスライダー（２４）をほぼ同じ移動量で追従させると共に、前記規制機構（３０）によってスライダー（２４）の移動が規制された状態では、昇降コード（１６）のスライダー（２４）に対する相対移動を許容する昇降コード追従手段（４０）と、を備え、
前記昇降コード追従手段（４０）は、磁石（４２）による磁力を挟み付け力として昇降コード（１６）に付与するものであることを特徴とするブラインドのストッパー装置。
【請求項２】
ブラインドの昇降コードの挟持及び解放を切換えることによって、ブラインドの任意の高さにおける停止及び昇降を行わせるブラインドのストッパー装置において、
昇降コード（１６）が挿通するケース（２２）と、
ケース（２２）内を昇降コード（１６）の移動方向に移動可能となったスライダー（２４）と、
ケース（２２）に設けられた受部（２６）と、
スライダー（２４）と共にケース（２２）内を移動し、前記受部（２６）との間で昇降コードを挟持可能な挟持部（２８）と、
ケース（２２）とスライダー（２４）との間に設けられ、挟持部（２８）が受部（２６）とで昇降コードを挟持した状態から、挟持部（２８）が受部（２６）から離反するスライダー（２４）の第１方向の所定量の移動を許容した後スライダー（２４）の移動を規制し、その後のスライダー（２４）の第１方向と反対方向の第２所定量の移動を許容した後スライダー（２４）の移動を規制し、その後のスライダー（２４）の第１方向の第３所定量の移動を許容した後スライダー（２４）の移動を規制し、その後のスライダー（２４）の第１方向と反対方向の、挟持部（２８）が受部（２６）とで昇降コードを挟持するまでの第４所定量の移動を許容する規制機構（３０）と、
昇降コード（１６）に挟み付け力を付与して、昇降コード（１６）の移動量に対してスライダー（２４）をほぼ同じ移動量で追従させると共に、前記規制機構（３０）によってスライダー（２４）の移動が規制された状態では、昇降コード（１６）のスライダー（２４）に対する相対移動を許容する昇降コード追従手段（４０）と、を備え、
前記昇降コード追従手段（４０）は、錘（４５）による重力を挟み付け力として昇降コード（１６）に付与するものであることを特徴とするブラインドのストッパー装置。
【請求項３】
ブラインドの昇降コードの挟持及び解放を切換えることによって、ブラインドの任意の高さにおける停止及び昇降を行わせるブラインドのストッパー装置において、
昇降コード（１６）が挿通するケース（２２）と、
ケース（２２）内を昇降コード（１６）の移動方向に移動可能となったスライダー（２４）と、
ケース（２２）に設けられた受部（２６）と、
スライダー（２４）と共にケース（２２）内を移動し、前記受部（２６）との間で昇降コードを挟持可能な挟持部（２８）と、
ケース（２２）とスライダー（２４）との間に設けられ、挟持部（２８）が受部（２６）とで昇降コードを挟持した状態から、挟持部（２８）が受部（２６）から離反するスライダー（２４）の第１方向の所定量の移動を許容した後スライダー（２４）の移動を規制し、その後のスライダー（２４）の第１方向と反対方向の第２所定量の移動を許容した後スライダー（２４）の移動を規制し、その後のスライダー（２４）の第１方向の第３所定量の移動を許容した後スライダー（２４）の移動を規制し、その後のスライダー（２４）の第１方向と反対方向の、挟持部（２８）が受部（２６）とで昇降コードを挟持するまでの第４所定量の移動を許容する規制機構（３０）と、
昇降コード（１６）に挟み付け力を付与して、昇降コード（１６）の移動量に対してスライダー（２４）をほぼ同じ移動量で追従させると共に、前記規制機構（３０）によってスライダー（２４）の移動が規制された状態では、昇降コード（１６）のスライダー（２４）に対する相対移動を許容する昇降コード追従手段（４０）と、を備え、
前記昇降コード追従手段（４０）は、複数の突起（４６，４８）を備えて、該複数の突起（４６，４８）間による挟み付け力を昇降コード（１６）に付与するものであることを特徴とするブラインドのストッパー装置。
【発明の詳細な説明】
【０００１】
【発明の属する技術分野】
本発明は、ブラインドの昇降コードの挟持及び解放を切換えることによって、ブラインドの任意の高さにおける停止及び昇降を行わせるブラインドのストッパー装置に関する。
【０００２】
【従来の技術】
従来、この種のブラインドのストッパー装置としては、例えば特許第２９１２１３９号公報に開示されたものがある。このストッパー装置は、昇降コードが挿通するストッパーケースと、ストッパーケース内を昇降コードの移動方向に移動可能となった移動枠と、移動枠に軸支される挟持ローラと、前記昇降コードの移動方向と直交する方向に相対移動可能に移動枠に支持される切換部材と、ストッパーケースに固定される挟持部材と、から構成される。ストッパーケースには、前記挟持ローラと噛合可能なローレット部と、挟持ローラを空転させるための切欠部が形成されている。挟持ローラがローレット部に噛合い状態で、昇降コードが移動すると、挟持ローラが回転し且つ昇降コードからの摩擦を受けて、ローレット部に案内されて挟持ローラが移動して、移動枠が移動することができるようになっている。前記切換部材には案内溝が形成されており、案内溝にはストッパケースにはめ合わされる係合子が挿入されており、係合子が案内溝に形成された複数の係止部に係止すると、移動枠の移動を規制し、移動枠が昇降コードと一緒に移動できなくなるようになっている。
【０００３】
そして、ブラインド停止時は、挟持ローラと挟持部材との間で昇降コードを挟み付けて、昇降コードの移動を拘束している。ブラインドの昇降を行わせるために、昇降コードを操作して昇降コードを移動させると、挟持ローラが回転し、昇降コードからの摩擦を受けて、移動枠が移動する。そして、係合子が係止部に係止して、スライダーの移動が規制されると、スライダーは同じ方向に昇降コードと共に移動することはできなくなり、昇降コードのみが移動する。こうして、昇降コードは解放されて、ブラインドの上昇または下降を行うことができるようになる。また、昇降コードが解放された状態から、ブラインドを停止させるために昇降コードを操作して昇降コードを移動させると、係止部から係合子が外れ、挟持ローラが回転し、昇降コードからの摩擦を受けて、スライダーが移動し、挟持ローラと挟持部材との間で昇降コードを挟み付けて、昇降コードの移動を拘束する。
【０００４】
【発明が解決しようとする課題】
しかしながら、上記のようなストッパー装置では、昇降コードの移動により、挟持ローラが回転し且つ昇降コードからの摩擦を受けて、移動枠が移動するようになっており、昇降コードの移動量は、挟持ローラの回転量と同じになる。従って、移動枠の移動量は、昇降コードの移動量と等しくはならず、それよりも少なくなる（１／２程度）。そのため、昇降コードの移動を拘束される状態、即ちブラインドを停止させるために、必要な昇降コードの移動量が大きくなり、結果として、昇降コードの戻り量が大きくなり、ブラインドの停止操作を開始した所からの実際の停止高さのずれが大きくなるという問題がある。
【０００５】
本発明はかかる課題に鑑みなされたもので、ブラインドを停止させるために必要な昇降コードの移動量を少なくすることができ、結果として、昇降コード及びブラインドの戻り量を少なくすることができるブラインドのストッパー装置を提供することをその目的とする。
【０００６】
【課題を解決するための手段】
前述した目的を達成するために、請求項１記載の発明による発明は、ブラインドの昇降コードの挟持及び解放を切換えることによって、ブラインドの任意の高さにおける停止及び昇降を行わせるブラインドのストッパー装置において、
昇降コードが挿通するケースと、
ケース内を昇降コードの移動方向に移動可能となったスライダーと、
ケースに設けられた受部と、
スライダーと共にケース内を移動し、前記受部との間で昇降コードを挟持可能な挟持部と、
ケースとスライダーとの間に設けられ、挟持部が受部とで昇降コードを挟持した状態から、挟持部が受部から離反するスライダーの第１方向の所定量の移動を許容した後スライダーの移動を規制し、その後のスライダーの第１方向と反対方向の第２所定量の移動を許容した後スライダーの移動を規制し、その後のスライダーの第１方向の第３所定量の移動を許容した後スライダーの移動を規制し、その後のスライダーの第１方向と反対方向の、挟持部が受部とで昇降コードを挟持するまでの第４所定量の移動を許容する規制機構と、
昇降コードに挟み付け力を付与して、昇降コードの移動量に対してスライダーをほぼ同じ移動量で追従させると共に、前記規制機構によってスライダーの移動が規制された状態では、昇降コードのスライダーに対する相対移動を許容する昇降コード追従手段と、を備える。
ストッパー装置は、受部と挟持部とが昇降コードを挟持することにより、昇降コードの所定方向の移動を阻止して、ブラインドを任意の高さに停止させている。ブラインドの昇降を行わせるために、昇降コードを操作してブラインドの前記所定方向と反対の方向に移動させると、その移動が昇降コード追従手段によって、スライダーに伝達して、スライダーが昇降コードの移動量に対してほぼ同じ移動量で追従移動する。そして、規制機構によってスライダーの移動が規制されるまで、スライダーは移動する。スライダーの移動が規制されると、スライダーは同じ方向に昇降コードと共に移動することはできなくなり、昇降コード追従手段によって昇降コードのみが移動する。こうして、昇降コードは解放されて、ブラインドの上昇または下降を行うことができるようになる。また、昇降コードが解放された状態から、ブラインドを停止させるために昇降コードをブラインドの所定方向と反対方向へ移動させると、規制機構の規制が解除されたスライダーが昇降コード追従手段によって昇降コードの移動量に対してほぼ同じ移動量で追従移動し、スライダーと共に移動する挟持部が受部に接近して、昇降コードを挟持する。こうして、再び、昇降コードの所定方向への移動を阻止して、ブラインドを任意の高さに停止させることができる。昇降コードの動きが、昇降コード追従手段によって、効率良くスライダーに伝達するために、昇降コードの少ない戻り量で停止を行わせることができる。従って、停止操作を開始した所からの実際の停止高さまでのずれを小さくすることができる。
【０００７】
昇降コード追従手段としては、磁石による磁力を挟み付け力として昇降コードに付与するものや、錘による重力を挟み付け力として昇降コードに付与するものや、複数の突起を備えて、該複数の突起間による挟み付け力を昇降コードに付与するものとすることができる。
【０００８】
昇降コード追従手段として、磁石による磁力や錘による重力を使用した場合には、昇降コードや他の部材に対して磁石や錘が分離可能であるために、組立時にこれらを外した状態で、昇降コードの挿通作業を行うことができ、挿通した後に、磁石や錘をセットすることで、挿通作業を完成させることができる。従って、作業性が良いものとなる。また、昇降コード追従手段が複数の突起を備えている場合であっても、対向する突起を、例えば、スライダーを構成する別の部品にそれぞれ形成して、これらの部品を一体に結合することで、スライダーを構成することも可能である。昇降コードをセットしてから、これらの別の部品を結合することで、作業性を良好にすることができる。
【０００９】
【発明の実施の形態】
以下、図面を用いて本発明の実施の形態を説明する。図２ないし図８は本発明に係るブラインドのストッパー装置の実施形態を表す図である。
【００１０】
このストッパー装置２０は、横型ブラインド、プリーツスクリーン、ローマンシェード等の昇降コードを用いる任意のブラインドに適用することができる。例えば、図１に示すものは、ヘッドボックス１０の下方に遮蔽材である多数のスラット１２が設けられて、遮蔽材１２の最下方にボトムレール１４が設けられたブラインドにおいて、複数の昇降コード１６の一端がボトムレール１４に幅方向所定間隔毎に取り付けられ、各昇降コード１６の他端が遮蔽材１２に形成された挿通孔１２ａを通り、ヘッドボックス１０内に導入されて、ヘッドボックス１０の端部に導かれて、本発明のストッパー装置２０を挿通した後、ヘッドボックス１０の端部付近に設けられてスラット１２の回転操作を可能な中空の操作棒１８内を挿通して、操作棒１８の下端から導出してコード止め１９に連結される。操作棒１８下端から導出された昇降コード１６の他端（またはコード止め１９、以下、単に昇降コード１６の他端という）を操作して、ストッパー装置２０に昇降コード１６の挟持及び解放を行わせることにより、ブラインドの任意の高さにおける停止及び昇降を行わせしめるようになっている。
【００１１】
図２及び図３に示したように、ストッパー装置２０は、主に、ヘッドボックス１０に固定されて、昇降コード１６が挿通するケース２２と、ケース２２内を昇降コード１６の移動方向にスライド可能となったスライダー２４と、ケース２２に設けられた受部である受けローラ２６と、スライダー２４と共にケース２２内を移動し、前記受けローラ２６との間で昇降コード１６を挟持する挟持部である挟持ローラ２８と、スライダー２４の移動を規制する規制機構３０と、昇降コード１６と係わり合って挟み付け力を付与し、昇降コード１６の移動量をスライダー２４の移動量へとほぼ１００％の割合で伝達すると共に、前記規制機構３０によってスライダー２４の移動が規制された状態では、昇降コード１６の移動量をスライダー２４へと伝達しない昇降コード追従手段４０と、を備えている。
【００１２】
より詳細に説明すると、ケース２２内の昇降コード１６移動方向の一端側には、回転可能に軸支された受部である受けローラ２６が設けられており、受けローラ２６と上下方向に対向するようにして係止斜面部２２ａが形成されている。係止斜面部２２ａには、前記挟持ローラ２８と噛み合い可能な係止歯が形成されており、係止斜面部２２ａは、一端側端部に向かうに従って、受けローラ２６に漸次接近する傾斜面となっている。また、ケース２２内部には、ケース２２内をスライダー２４がスライドするのを案内するための案内片２２ｂが突設されている。また、ケース２２内の底面には、昇降コード１６移動方向と直交する方向に伸びる溝２２ｃが形成されている。
【００１３】
スライダー２４には、複数の昇降コード１６が挿通しており、スライダー２４の両端部には、複数の昇降コード１６がストッパー装置内で互いに絡み合わないように各昇降コード１６を分離する分離部２４ａ、２４ａが形成されている。さらに、スライダー２４から揺動可能に一端が軸着された一対のアーム２５，２５が延びており、各アーム２５の他端に前記挟持ローラ２８が軸支されている。こうして、挟持ローラ２８は、スライダー２４と一緒に昇降コード１６の移動方向に移動することができ、且つ、スライダー２４に対して上下に揺動可能となっている。
【００１４】
規制機構３０は、図４に示したように、スライダー２４の底面に形成される案内カム溝３２と、ケース２２の前記溝２２ｃ内にスライド可能に嵌め込まれると共に、前記案内溝３２に嵌入するピン部３４ａを持つ係合子３４と、から構成される。図５に案内カム溝３２とピン部３４ａとの係止関係を示す拡大図を示す。案内カム溝３２には、中央にハート状のカム突起が形成されて、その周囲をピン部３４ａが相対的に移動するようになっており、ブラインド停止時にピン部３４ａが位置づけられる停止位置３２ａと、ピン部３４ａが、順次、係止する複数の係止部３２ｂ、３２ｃ、３２ｄが形成されている。ピン部３４ａが各係止部に係止すると、それ以上の同じ方向への相対移動は規制されるようになっている。
【００１５】
スライダー２４の上面中央には開口２４ｂが、底面中央には開口２４ｂに対向して凹部２４ｃが形成されており、開口２４ｂと凹部２４ｃにそれぞれ昇降コード１６の上下を挟み付けるようにして押圧する磁石４２と磁性体４４が配設されて、昇降コード追従手段４０を構成している。これらは、磁力による互いの吸引力を利用して、昇降コード１６を上下で挟み付けている。
【００１６】
以上のように構成されるストッパー装置２０の作用を説明する。図２に示すように、スライダー２４がケース２２内の前記一端部（図２における左端部）に接近している状態においては、挟持ローラ２８が係止斜面部２２ａによって受けローラ２６の方へと押圧されており、挟持ローラ２８と受けローラ２６との間で昇降コード１６が挟持されて、昇降コード１６の移動は拘束されている。従って、ブラインドの遮蔽材１２はその高さで停止している。このとき、係合子３４のピン部３４ａは、案内カム溝３２の停止位置３２ａに位置づけられている。
【００１７】
図２の状態から、操作棒１８下端から導出された昇降コード１６の他端を操作して下方に引っ張ると、図２中、昇降コード１６は右側へと移動する。昇降コード１６を上下で挟み付ける昇降コード追従手段４０によって、昇降コード１６と共にスライダー２４が移動する。これに伴って、相対的に係合子３４のピン部３４ａが停止位置３２ａを出発して、案内カム溝３２を移動する。ピン部３４ａは、図５の係止部３２ｂへと到達すると、それ以上のスライダー２４のケース２２に対する移動は規制されて、図６に示す状態となる。この状態では、挟持ローラ２８が受けローラ２６から離反するため、もはや挟持ローラ２８と受けローラ２６との間で昇降コード１６が挟持されておらず、昇降コード１６は解放される。一方、昇降コード追従手段４０によって昇降コード１６の上下方向に挟み付ける力は依然として作用しているが、昇降コード１６の移動を阻止することはなく、昇降コード１６の他端を下方に引く操作は継続可能となる。これによって、昇降コード１６の一端は上昇させられて、遮蔽材１２は上昇する。
【００１８】
次に、昇降コード１６の他端への操作を緩めて力を解除すると、遮蔽材１２及びボトムレール１４の自重によって、昇降コード１６は図６中、左側へと移動する。昇降コード１６を上下で挟み付ける昇降コード追従手段４０によって、昇降コード１６と共にスライダー２４が移動する。これに伴って、相対的に係合子３４のピン部３４ａが係止部３２ｂを出発して、係止部３２ｃへと到達すると、それ以上のスライダー２４のケース２２に対する移動は規制されて、図７に示す状態となる。この状態においても、挟持ローラ２８が受けローラ２６から離反しているため、昇降コード１６は解放されており、一方、昇降コード追従手段４０によって昇降コード１６の上下方向に挟み付ける力は依然として作用しているが、昇降コード１６の移動を阻止することはなく、これによって、昇降コード１６の一端は下降させられて、遮蔽材１２は下降する。
【００１９】
次に、昇降コード１６の他端を操作して再び下方に引っ張ると、図７中、昇降コード１６は右側へと移動する。昇降コード１６を上下で挟み付ける昇降コード追従手段４０によって、昇降コード１６と共にスライダー２４が移動する。これに伴って、相対的に係合子３４のピン部３４ａが係止部３２ｃを出発して、図５の係止部３２ｄへと到達すると、それ以上のスライダー２４のケースに対する移動は規制されて、図８に示す状態となる。この状態でも、挟持ローラ２８が受けローラ２６から離反しているため昇降コード１６は解放されている。一方、昇降コード追従手段４０によって昇降コード１６の上下方向に挟み付ける力は依然として作用しているが、昇降コード１６の移動を阻止することはなく、昇降コード１６の他端を下方に引く操作は継続可能となる。これによって、昇降コード１６の一端は上昇させられて、遮蔽材１２は上昇可能となる。
【００２０】
次に、昇降コード１６の他端への操作を緩めて力を解除すると、遮蔽材１２及びボトムレール１４の自重によって、昇降コード１６は図８中、左側へと移動する。昇降コード１６を上下で挟み付ける昇降コード追従手段４０によって、昇降コード１６と共にスライダー２４が移動する。これに伴って、相対的に係合子３４のピン部３４ａが係止部３２ｄを出発して、停止位置３２ａへと向かい、スライダー２４は、昇降コード１６と共に左端へと移動する。これにより、挟持ローラ２８が係止斜面部２２ａによって、左端へと向かうに従って受けローラ２６に接近するように揺動し、挟持ローラ２８と受けローラ２６との間で昇降コード１６を挟持するため、昇降コード１６の移動は拘束され、ブラインドは停止する。
【００２１】
本実施形態によれば、昇降コード追従手段４０が、昇降コードからの摩擦や昇降コードによるローラの回転を利用しておらず、磁力によって昇降コード１６を直接押え付ける力を利用しているため、昇降コード１６の移動量が１００％の割合でスライダー２４の移動量に伝達されて、効率が良い。よって、図７の状態から図８の状態に転移する場合に、昇降コード１６の戻り量を少なくすることが出来る。例えば、図１のような横型ブラインドの場合に、最大限遮蔽材１２を上昇させてから停止させるときに、遮蔽材１２のうちの最上段スラットとヘッドボックス１０との間にできる隙間を小さくすることができる。一方、スライダー２４の移動が規制された状態においては、昇降コード追従手段４０が昇降コード１６の移動を阻止することはない。
【００２２】
また、この実施形態によれば、組立作業、特に昇降コード１６の挿通作業を容易に行うことができる。従来の構成の場合、昇降コード１６を挿通させるために、挟持ローラの周囲の狭い空間内に昇降コード１６を挿通させなければならず、作業性が悪いという問題がある。この実施形態の場合には、スライダー２４に昇降コード１６を挿通させる際に、スライダー２４の底面中央に形成された凹部２４ｃ内に磁性体４４を装填しておき、昇降コード１６をスライダー２４に挿通させた後、上面中央に形成された開口２４ｂから磁石４２を嵌め入れる。これにより、昇降コード１６の挿通作業を行う際には、昇降コード追従手段４０による力を何ら受けることはないので、簡単に昇降コード１６を挿通させることができる。
【００２３】
図９は、本発明による第２の実施形態を表す図である。この実施形態では、昇降コード追従手段４０が、昇降コード１６に上方から載置する錘４５によって構成される点で、第１実施形態と異なっており、それ以外の点では、第１実施形態と同様である。錘４５の重力で昇降コード１６を上下に挟み付けることにより、昇降コード１６の移動量を１００％の割合で、スライダー２４の移動量に伝達すると共に、前記規制機構３０によってスライダー２４の移動が規制された状態では、昇降コード１６の移動量をスライダー２４へと伝達しないようにして、昇降コード１６だけが移動できるようにすることができる。
【００２４】
この実施形態においても、組立作業において、スライダー２４に昇降コード１６を挿通した後に、錘４５を開口２４ｂから挿入して、昇降コード１６に載せれば良いので、昇降コード１６の挿通作業を容易に行うことができ、作業性を良好にすることができる。
【００２５】
図１０及び図１１は、本発明による第３の実施形態を表す図である。この実施形態では、昇降コード追従手段４０が、昇降コード１６を挟み付ける突起４６、４８によって構成される点で第１実施形態と異なっている。スライダー５４は、一体品で構成することもできるが、この実施形態では、組立性を良くするために、上スライダー部５６と、下スライダー部５８とから構成し、上スライダー部５６と下スライダー部５８とをはめ込みにより一体品に結合している。
【００２６】
上スライダー部５６の下面には、下方に突出する突起４６が形成されており、下スライダー部５８の上面には、上方に突出する突起４８が形成されており、上スライダー部５６と下スライダー部５８とが結合された状態において、突起４６と突起４８とは、昇降コード１６の移動方向に対して、僅かな隙間を介して整列している。そして、昇降コード１６は、突起４６の一部を回り、突起４６と突起４８との間の隙間を通り、突起４８の一部を回って、蛇行状にスライダー５４内を挿通しており、突起４６，４８の間の隙間を挿通する際に、これらから挟み付け力が付与されるようになっている。この実施形態においても、この突起４６，４８による挟み付け力により、昇降コード１６の移動量を１００％の割合で、スライダー５４の移動量に伝達すると共に、前記規制機構３０によってスライダー５４の移動が規制された状態では、昇降コード１６の移動量をスライダー５４へと伝達しないようにして、昇降コード１６だけが移動できるようにすることができる。
【００２７】
また、この実施形態においても、組立作業において、スライダー５４の下スライダー部５８に昇降コード１６を通した後、上スライダー部５６を下スライダー部５８に結合することで、昇降コード１６の挿通作業を行うことができ、作業性を良好にすることができる。
【００２８】
【発明の効果】
以上説明したように本発明によれば、昇降コード追従手段によって、ブラインドを停止させるために必要な昇降コードの移動量を少なくすることができ、結果として、昇降コード及びブラインドの戻り量を少なくすることができる。
【図面の簡単な説明】
【図１】本発明が適用可能なブラインドの一例を表す斜視図である。
【図２】本発明のストッパー装置の第１実施形態を表す断面図であり、昇降コードが挟持されたブラインド停止状態を表す。
【図３】本発明の第１実施形態の分解斜視図である。
【図４】スライダーの底面図である。
【図５】規制機構である案内カム溝とピン部との関係を表す拡大図である。
【図６】昇降コードが解放された、ブラインドの上昇状態を表す図２相当図である。
【図７】昇降コードが解放された、ブラインドの下降状態を表す図２相当図である。
【図８】昇降コードが解放された、ブラインドの上昇状態を表す図２相当図である。
【図９】本発明のストッパー装置の第２実施形態を表す断面図であり、昇降コードが挟持されたブラインド停止状態を表す。
【図１０】本発明のストッパー装置の第３実施形態を表す断面図であり、昇降コードが挟持されたブラインド停止状態を表す。
【図１１】本発明のストッパー装置の第３実施形態の分解斜視図である。
【符号の説明】
２０  ストッパー装置
２２  ケース
２４、５４  スライダー
２６  受けローラ（受部）
２８  挟持ローラ（挟持部）
３０  規制機構
４０  昇降コード追従手段
４２  磁石
４５  錘
４６、４８  突起
【図１】
0003869649.tif 000002
【図２】
0003869649.tif 000003
【図３】
0003869649.tif 000004
【図４】
0003869649.tif 000005
【図５】
0003869649.tif 000006
【図６】
0003869649.tif 000007
【図７】
0003869649.tif 000008
【図８】
0003869649.tif 000009
【図９】
0003869649.tif 000010
【図１０】
0003869649.tif 000011
【図１１】
0003869649.tif 000012